(57)【要約】【課題】砂塵などの内部への進入を抑制することができるシートトレイを提供する。【解決手段】給送トレイ２０は、用紙を支持する上面７６を有する底板７１と、上面７６の左端部に立設されており、間隙７７を有する左側板７３と、上面７６に立設されており、上面７６に沿って間隙７７へ移動可能であり、上面７６に支持された用紙の左端に当接可能なサイドガイド８０と、間隙７７を塞ぐ閉塞位置及び間隙７７を開放する開放位置に移動可能な可動壁８４とを備える。可動壁８４は、サイドガイド８０が間隙７７に位置するときに開放位置に位置し、サイドガイド８０が間隙７７に位置しないときに閉塞位置に位置する。【選択図】図５
2018090353.tif 000002
【特許請求の範囲】
【請求項１】
シートを支持する上面を有する底板と、
上記上面の端部に立設されており、間隙を有する側板と、
上記上面に立設されており、上記上面に沿って上記間隙へ移動可能であり、上記上面に支持されたシートの側端に当接可能なシートガイドと、
上記間隙を塞ぐ閉塞位置及び上記間隙を開放する開放位置に移動可能な可動壁と、を備え、
上記可動壁は、上記シートガイドが上記間隙に位置するときに上記開放位置に位置し、上記シートガイドが上記間隙に位置しないときに上記閉塞位置に位置するシートトレイ。
【請求項２】
上記可動壁は、回動することによって上記閉塞位置及び上記開放位置に移動するものであり、上記閉塞位置において上記上面に対して起立しており、上記開放位置において上記上面に沿って倒伏している請求項１に記載のシートトレイ。
【請求項３】
上記可動壁を上記閉塞位置へ付勢する付勢部材を備える請求項１または２に記載のシートトレイ。
【請求項４】
上記可動壁は、上記間隙へ移動する上記シートガイドに当接されることによって上記閉塞位置から上記開放位置へ移動する請求項３に記載のシートトレイ。
【請求項５】
上記シートガイドは、
上記上面に沿った第１方向に沿って移動可能であり、上記上面に支持されたシートの第１辺に当接可能な第１シートガイドと、
上記上面に沿っており且つ上記第１方向と直交する第２方向に沿って移動可能であり、上記上面に支持されたシートの上記第１辺と直交する第２辺に当接可能な第２シートガイドと、を備える請求項１から４のいずれかに記載のシートトレイ。
【請求項６】
上記側板と上記閉塞位置の上記可動壁との間に配置された防塵部を備える請求項１から５のいずれかに記載のシートトレイ。
【請求項７】
上記側板と上記間隙に位置する上記シートガイドとの間に配置された防塵部を備える請求項１から６のいずれかに記載のシートトレイ。
【請求項８】
請求項１から７のいずれかに記載のシートトレイと、
上記シートトレイが挿入可能であり、上記シートトレイの上記上面に支持されたシートが搬送される搬送路を有する本体と、
上記本体の内部に配置されており、上記シートトレイの上記上面に支持されたシートを上記搬送路へ給送する給送部と、
上記給送部によって上記搬送路へ給送されたシートを搬送する搬送部と、を備えるシート搬送装置。
【請求項９】
請求項８に記載のシート搬送装置と、
上記搬送路を搬送されるシートに画像を記録する記録部と、を備える画像記録装置。
【発明の詳細な説明】
【技術分野】
【０００１】
本発明は、シートを支持するシートトレイ、当該シートトレイを備えており当該シートトレイに支持されたシートを搬送するシート搬送装置、及び当該シート搬送装置を備えており当該シート搬送装置によって搬送されたシートに画像を記録する画像記録装置に関する。
【背景技術】
【０００２】
従来より、シートを支持するシートトレイを備え、シートトレイに支持されたシートを搬送するシート搬送装置が知られている。シート搬送装置を備える装置として、例えばシートに画像を記録する画像記録装置が知られている。
【０００３】
シートトレイは、シートトレイに支持された種々のサイズのシートを位置決めするためのシートガイドを備えている。シートガイドは、シートトレイ上を移動可能である。シートガイドは、シートトレイに支持されているシートの側端に当接することによって、種々のサイズのシートを位置決めする。
【０００４】
画像記録装置には、シートガイドが、シートトレイの外端部に位置している状態で、シートトレイの側板の一部を兼ねる構造となったものがある（特許文献１）。このような構造が採用されることにより、画像記録装置を小型化することができる。
【先行技術文献】
【特許文献】
【０００５】
【特許文献１】特開２０１１−２４６２５２号公報
【発明の概要】
【発明が解決しようとする課題】
【０００６】
しかしながら、上記のような構造が採用された画像記録装置が、塵や埃が多い環境（例えば砂塵が舞う屋外又はそのような屋外に面し、窓やドア等の仕切りがないか或いはそのような仕切りがほとんど無い露店）に設置された場合、以下の問題が生じる。シートトレイにサイズが小さいシートが支持されている場合、シートガイドは、当該シートを位置決めするために、シートトレイの内方へ移動される。これにより、シートガイドは、シートトレイの外端部以外に位置する状態となる。その結果、シートトレイの側板におけるシートガイドに兼用されていた部分に間隙が生じる。すると、砂塵などが、当該間隙を通じて、シートトレイの内部に進入するおそれがある。
【０００７】
本発明は、上記問題に鑑みてなされたものであり、その目的は、砂塵などの内部への進入を抑制することができるシートトレイを提供することにある。
【課題を解決するための手段】
【０００８】
(1)  本発明のシートトレイは、シートを支持する上面を有する底板と、上記上面の端部に立設されており、間隙を有する側板と、上記上面に立設されており、上記上面に沿って上記間隙へ移動可能であり、上記上面に支持されたシートの側端に当接可能なシートガイドと、上記間隙を塞ぐ閉塞位置及び上記間隙を開放する開放位置に移動可能な可動壁と、を備える。上記可動壁は、上記シートガイドが上記間隙に位置するときに上記開放位置に位置し、上記シートガイドが上記間隙に位置しないときに上記閉塞位置に位置する。
【０００９】
シートガイドは間隙に位置することによって、側板の一部を兼ねる。また、シートガイドが間隙に位置しないとき、可動壁が閉塞位置に位置し、側板の間隙を塞ぐ。つまり、可動壁が、側板の一部を兼ねる。以上により、砂塵などのシートトレイ内部への進入を抑制することができる。
【００１０】
(2)  上記可動壁は、回動することによって上記閉塞位置及び上記開放位置に移動するものであり、上記閉塞位置において上記上面に対して起立しており、上記開放位置において上記上面に沿って倒伏している。
【００１１】
シートガイドが間隙に位置するときに可動壁が開放位置に位置し、シートガイドが間隙に位置しないときに可動壁が閉塞位置に位置する構成を簡易に実現することができる。
【００１２】
(3)  本発明のシートトレイは、上記可動壁を上記閉塞位置へ付勢する付勢部材を備える。
【００１３】
シートガイドが間隙から他の位置へ移動したときに、可動壁を自動的に閉塞位置へ移動させることができる。
【００１４】
(4)  上記可動壁は、上記間隙へ移動する上記シートガイドに当接されることによって上記閉塞位置から上記開放位置へ移動する。
【００１５】
シートガイドが間隙へ移動したときに、可動壁を自動的に開放位置へ移動させることができる。
【００１６】
(5)  例えば、上記シートガイドは、上記上面に沿った第１方向に沿って移動可能であり、上記上面に支持されたシートの第１辺に当接可能な第１シートガイドと、上記上面に沿っており且つ上記第１方向と直交する第２方向に沿って移動可能であり、上記上面に支持されたシートの上記第１辺と直交する第２辺に当接可能な第２シートガイドと、を備える。
【００１７】
(6)  上記側板と上記閉塞位置の上記可動壁との間に配置された防塵部を備える。
【００１８】
側板と閉塞位置の可動壁との間に隙間が存在する場合に、当該隙間を通じての砂塵などのシートトレイ内部への進入を防塵部によって抑制することができる。
【００１９】
(7)  上記側板と上記間隙に位置する上記シートガイドとの間に配置された防塵部を備える。
【００２０】
側板と間隙に位置するシートガイドとの間に隙間が存在する場合に、当該隙間を通じての砂塵などのシートトレイ内部への進入を防塵部によって抑制することができる。
【００２１】
(8)  本発明は、上記シートトレイと、上記シートトレイが挿入可能であり、上記シートトレイの上記上面に支持されたシートが搬送される搬送路を有する本体と、上記本体の内部に配置されており、上記シートトレイの上記上面に支持されたシートを上記搬送路へ給送する給送部と、上記給送部によって上記搬送路へ給送されたシートを搬送する搬送部と、を備えるシート搬送装置として捉えることもできる。
【００２２】
(9)  本発明は、上記シート搬送装置と、上記搬送路を搬送されるシートに画像を記録する記録部と、を備える画像記録装置として捉えることもできる。
【発明の効果】
【００２３】
本発明によれば、砂塵などがシートトレイの内部へ進入することを抑制できる。
【図面の簡単な説明】
【００２４】
【図１】図１は、複合機１０の斜視図である。
【図２】図２は、プリンタ部１１の内部構造を模式的に示す縦断面図である。
【図３】図３は、サイドガイド８０が間隙７７に位置しリヤガイド９０が間隙７８に位置する状態における給送トレイ２０の斜視図である。
【図４】図４は、可動壁８４、９４が閉塞位置に位置する状態の給送トレイ２０の斜視図である。
【図５】図５（Ａ）は、図４のＶＡ−ＶＡ断面図であり、図５（Ｂ）は、図３のＶＢ−ＶＢ断面図である。
【図６】図６は、変形例１における可動壁８４周辺の断面図であり、（Ａ）には可動壁８４が閉塞位置に位置する状態が示されており、（Ｂ）には可動壁８４が開放位置に位置する状態が示されている。
【図７】図７は、変形例２における給送トレイ２０の斜視図である。
【発明を実施するための形態】
【００２５】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている面を前面２２として前後方向８が定義され、複合機１０を前方から見て左右方向９が定義される。上下方向７、前後方向８、及び左右方向９は互いに直交している。
【００２６】
［複合機１０の全体構造］
図１に示されるように、複合機１０（画像記録装置の一例）は、概ね薄型の直方体に構成されている。
【００２７】
複合機１０は、その下部にプリンタ部１１を備えている。プリンタ部１１は、用紙１５（シートの一例、図２参照）に画像を記録する。プリンタ部１１は、プリンタ筐体１４（本体の一例）を備えている。
【００２８】
プリンタ筐体１４は、概ね直方体の箱形状である。プリンタ筐体１４は、内部空間を備えている。プリンタ筐体１４の内部空間には、図２に示されるように、後述する搬送路２３が形成されている。また、プリンタ筐体１４の内部空間には、図２に示されるように、後述する給送ローラ２５（給送部の一例）、搬送ローラ対６３、排出ローラ対６６、及び記録部２４などが配置されている。
【００２９】
図２に示されるように、プリンタ部１１は、搬送路２３と、給送ローラ２５と、搬送ローラ対６３と、排出ローラ対６６と、記録部２４とを備えている。搬送路２３は、用紙１５が通過する経路である。給送ローラ２５は、給送トレイ２０（シートトレイの一例）の底板７１の上面７６に支持された用紙１５を搬送路２３へ給送する。給送ローラ２５は、給送モータ（不図示）の駆動力が伝達されることによって回転する。搬送ローラ対６３及び排出ローラ対６６は、搬送路２３に配置されている。搬送ローラ対６３及び排出ローラ対６６は、給送ローラ２５によって搬送路２３に給送された用紙１５を搬送する。搬送ローラ対６３及び排出ローラ対６６は、搬送部の一例である。記録部２４は、インクジェット方式にて用紙１５に画像を記録する。
【００３０】
図１に示されるように、プリンタ筐体１４の前面２２に、開口１３が形成されている。給送トレイ２０及び排出トレイ２１が、開口１３を通じてプリンタ筐体１４に対して前後方向８に挿抜可能である。給送トレイ２０には、図２に示されるように、所望のサイズの用紙１５が支持される。なお、図１及び図２には、給送トレイ２０及び排出トレイ２１がプリンタ筐体１４に装着された状態が示されている。給送トレイ２０の構成の詳細は後述される。
【００３１】
プリンタ筐体１４、給送トレイ２０、給送ローラ２５、搬送ローラ対６３、及び排出ローラ対６６によって、シート搬送装置が構成されている。複合機１０は、シート搬送装置と、記録部２４とを備えている。
【００３２】
［搬送路２３］
図２に示されるように、搬送路２３は、給送トレイ２０の後端部を基点として、下方から上方に延びつつＵターンしてから、前方へ延びて記録部２４の下方を通って排出トレイ２１に至る通路である。搬送路２３は、所定間隔を隔てて互いに対向する第１ガイド部材３１及び第２ガイド部材３２、搬送ローラ対６３、所定間隔を隔てて互いに対向する記録部２４及びプラテン６７、並びに排出ローラ対６６によって区画される空間である。給送ローラ２５によって給送された用紙１５は、搬送路２３を、図２に破線の矢印で示される向きである搬送向きに搬送される。
【００３３】
［搬送ローラ対６３及び排出ローラ対６６］
図２に示されるように、搬送路２３に、搬送ローラ対６３が配置されている。搬送ローラ対６３は、搬送ローラ６１及びピンチローラ６２よりなる。ピンチローラ６２は、ばねなどの弾性部材（不図示）によって搬送ローラ６１に圧接されている。これにより、搬送ローラ対６３は、用紙１５を挟持可能である。
【００３４】
搬送路２３における搬送ローラ対６３よりも搬送向きの下流に、排出ローラ対６６が配置されている。排出ローラ対６６は、排出ローラ６４及び拍車６５よりなる。拍車６５は、ばねなどの弾性部材（不図示）によって排出ローラ６４に圧接されている。これにより、排出ローラ対６６は、用紙１５を挟持可能である。
【００３５】
搬送ローラ６１及び排出ローラ６４は、搬送モータ（不図示）の駆動力が伝達されることによって駆動される。駆動力が伝達された搬送ローラ６１は、ピンチローラ６２との間に用紙１５を挟持しつつ搬送向きへ搬送する。駆動力が伝達された排出ローラ６４は、拍車６５との間に用紙１５を挟持しつつ搬送向きへ搬送する。
【００３６】
［記録部２４］
図２に示されるように、搬送路２３における搬送ローラ対６３及び排出ローラ対６６の間に、記録部２４が配置されている。記録部２４は、インクジェット方式でインク滴を吐出する記録ヘッド３７と、記録ヘッド３７を搭載するキャリッジ３８とを備えている。キャリッジ３８は、用紙１５の搬送向きと直交する左右方向９に沿って移動可能に、ガイドレール４５、４６によって支持されている。ガイドレール４５、４６は、プリンタ筐体１４に支持されている。キャリッジ３８は、キャリッジ駆動用モータ（不図示）の駆動力が伝達されることによって移動する。
【００３７】
記録ヘッド３７は、キャリッジ３８の下部に配置されている。記録ヘッド３７の下面には、複数のノズル（不図示）が形成されている。ノズルは、キャリッジ３８の下面に露出されている。ノズルから下方のプラテン６７へ向けてインク滴が吐出される。プラテン６７は、記録ヘッド３７の下方に記録ヘッド３７と対向して配置されている。プラテン６７は、概ね平板形状であり、その上面に用紙１５を支持可能である。
【００３８】
プリンタ筐体１４には、各色（例えばブラック、イエロー、シアン、マゼンタ）のインクタンク（不図示）が配置されている。なお、インクタンクは、キャリッジ３８に搭載されていてもよい。各色のインクがインクタンクから記録ヘッド３７へ供給される。キャリッジ３８が左右方向９に沿って移動している間に、各ノズルから各色のインクが微小なインク滴として選択的に吐出される。これにより、プラテン６７上を搬送される用紙１５に画像が記録される。
【００３９】
［給送トレイ２０］
給送トレイ２０が開口１３を通じてプリンタ筐体１４に挿入されてプリンタ筐体１４に装着された状態（図１及び図２に示される状態）においては、給送トレイ２０に支持された用紙１５が搬送路２３へ給送可能となる。給送トレイ２０が開口１３を通じてプリンタ筐体１４から脱抜された状態（図３に示される状態）においては、給送トレイ２０への用紙１５の補充が可能となる。
【００４０】
図３に示されるように、給送トレイ２０は、概ね直方体の箱形状である。給送トレイ２０は、上方が開放されている。給送トレイ２０の上下方向７の長さは、給送トレイ２０の左右方向９及び前後方向８の長さよりも短い。給送トレイ２０は、底板７１と、側板（右側板７２、左側板７３、及び前側板７４）と、ストッパ７５とを備えている。
【００４１】
底板７１は、用紙１５が支持される上面７６を有する。上面７６は、前後方向８及び左右方向９に沿って拡がる面である。
【００４２】
右側板７２は、上面７６の右端部に立設されている。右側板７２は、前後方向８に延びている。左側板７３は、上面７６の左端部に立設されている。左側板７３は、前後方向８に延びている。左側板７３は、間隙７７を有する。左側板７３は、間隙７７を挟んで左前側板７３Ａと左後側板７３Ｂとを備える。左側板７３は側板の一例である。
【００４３】
前側板７４は、上面７６の前端部に立設されている。前側板７４は、左右方向９に延びている。前側板７４は、間隙７８を有する。前側板７４は、間隙７８を挟んで前右側板７４Ａと前左側板７４Ｂとを備える。前側板７４は側板の一例である。
【００４４】
なお、本実施形態では、左側板７３が間隙７７を有し、前側板７４が間隙７８を有する一方で、右側板７２が間隙を有していない。しかし、間隙は、右側板７２、左側板７３、または前側板７４の少なくとも一つに形成されていればよい。右側板７２に間隙が形成されている場合、右側板７２は側板の一例である。
【００４５】
ストッパ７５は、上面７６の後端部から斜め後方へ立設されている。ストッパ７５は、左右方向９において相互に間隔を空けて少なくとも１つ（本実施形態では２つ）配置されている。ストッパ７５の少なくとも１つは、複合機１０において上面７６に支持可能に設定されているサイズの用紙１５の後端と当接可能である。これにより、給送トレイ２０が開口１３から脱抜された状態において、ストッパ７５は、上面７６に支持された用紙１５の後方への移動を制止する。その結果、当該用紙１５の給送トレイ２０の後端からの落下を防止することができる。
【００４６】
［サイドガイド８０］
図３及び図４に示されるように、底板７１の上面７６に、サイドガイド８０（シートガイド及び第１シートガイドの一例）が左右方向９（第１方向の一例）に移動可能に取り付けられている。図３には、サイドガイド８０が位置し得る最も外側（左方）である間隙７７に位置する状態が示されている。図４には、サイドガイド８０が位置し得る最も内側（右方）に位置する状態が示されている。つまり、サイドガイド８０は、図３に示される位置と図４に示される位置との間を移動可能である。
【００４７】
サイドガイド８０は、底板８１と立板８２とを備えている。底板８１は、上面７６に形成された溝６８に配置されている。溝６８は、上面７６の左端部から右方へ向かって左右方向９に沿って延びている。底板８１は、溝６８に沿って左右方向９へ移動可能に上面７６によって支持されている。立板８２は、底板８１の左端部から上方へ立設されている。立板８２は、前後方向８に沿って延設されている。
【００４８】
給送トレイ２０に用紙１５が支持された状態で、サイドガイド８０が左右方向９へ移動されると、立板８２の右面が用紙１５の左辺（第１辺の一例）である左端（側端の一例）に当接する。また、用紙１５の右端は、右側板７２の左面に当接する。これにより、用紙１５の左右両端がサイズに応じた位置に位置決めされる。
【００４９】
本実施形態では、サイドガイド８０は１つ配置されているが、サイドガイド８０の数は１つに限らない。例えば、サイドガイド８０は、左右方向９において間隔を空けて一対に配置されていてもよい。サイドガイド８０が左右方向９において間隔を空けて一対に配置されている場合、給送トレイ２０に用紙１５が支持された状態で、一対のサイドガイド８０の一方が用紙１５の左端に当接し、一対のサイドガイド８０の他方が用紙１５の右端に当接する。これにより、用紙１５の左右両端がサイズに応じた位置に位置決めされる。
【００５０】
サイドガイド８０は、操作部８３を備えている。操作部８３は、下部において底板８１と一体である。一方、操作部８３は、上部において底板８１及び立板８２と分離している。これにより、操作部８３は、下部を中心として弾性によって回動可能である。
【００５１】
操作部８３の下面には、ロック部（不図示）が設けられている。ロック部は、当該下面から底板７１の上面７６へ向かって下方に突出した突起である。ユーザが操作部８３を把持していない状態において、ロック部が溝６８に間隔を空けて複数形成された凹部（不図示）と係合する。これにより、サイドガイド８０の移動はロックされる。一方、ユーザが、操作部８３を把持して、操作部８３の上部を左方へ向けて弾性変形により回動させると、ロック部は概ね上方へ移動する。これにより、ロック部は当該凹部から離間する。その結果、サイドガイド８０は左右方向９に沿って移動可能となる。
【００５２】
［リヤガイド９０］
図３及び図４に示されるように、底板７１の上面７６に、リヤガイド９０（シートガイド及び第２シートガイドの一例）が前後方向８（第２方向の一例）に移動可能に取り付けられている。図３には、リヤガイド９０が位置し得る最も前方である間隙７８に位置する状態が示されている。図４には、リヤガイド９０が位置し得る最も後方に位置する状態が示されている。つまり、リヤガイド９０は、図３に示される位置と図４に示される位置との間を移動可能である。
【００５３】
リヤガイド９０は、底板９１と立板９２とを備えている。底板８１は、上面７６に形成された溝６９に配置されている。溝６９は、上面７６の前端部から後方へ向かって前後方向８に沿って延びている。底板９１は、溝６９に沿って前後方向８へ移動可能に上面７６によって支持されている。立板９２は、底板９１の前端部から上方へ立設されている。立板９２は、左右方向９に沿って延設されている。
【００５４】
給送トレイ２０に用紙１５が支持された状態で、リヤガイド９０が前後方向８へ移動されると、立板９２の後面が用紙１５の前辺（第２辺の一例）である前端（側端の一例）に当接する。これにより、用紙１５の前端がサイズに応じた位置に位置決めされる。なお、前辺は、左辺と直交する辺である。
【００５５】
リヤガイド９０は、操作部９３を備えている。操作部９３は、下部において底板９１と一体である。一方、操作部９３は、上部において立板９２と分離している。これにより、操作部９３は、下部を中心として弾性によって回動可能である。
【００５６】
操作部９３の下面には、ロック部（不図示）が設けられている。ロック部は、当該下面から底板７１の上面７６へ向かって下方に突出した突起である。ユーザが操作部９３を把持していない状態において、ロック部が溝６９に間隔を空けて複数形成された凹部（不図示）と係合する。これにより、リヤガイド９０の移動はロックされる。一方、ユーザが、操作部９３を把持して、操作部９３の上部を前方へ向けて弾性変形により回動させると、ロック部は概ね上方へ移動する。これにより、ロック部は当該凹部から離間する。その結果、リヤガイド９０は前後方向８に沿って移動可能となる。
【００５７】
［可動壁８４、９４］
図４に示されるように、可動壁８４が間隙７７に配置されている。可動壁８４は、底板７１に回動可能に取り付けられている。可動壁８４は、図４及び図５（Ａ）に示される閉塞位置と、図５（Ｂ）に示される開放位置とに回動可能である。図５（Ａ）に示されるように、閉塞位置の可動壁８４は、底板７１の上面７６に対して起立した状態である。図４に示されるように、閉塞位置の可動壁８４は、間隙７７を閉塞している。図５（Ｂ）に示されるように、開放位置の可動壁８４は、底板７１の上面７６に沿って倒伏した状態である。開放位置の可動壁８４は、間隙７７を開放している。
【００５８】
図５に示されるように、可動壁８４と底板７１とに亘って、トーションばね８５（付勢部材の一例）が取り付けられている。トーションばね８５の巻回部８５Ａには、可動壁８４の回動軸８４Ａが挿通されている。トーションばね８５の一方のアーム８５Ｂは、上面７６に取り付けられている。トーションばね８５の他方のアーム８５Ｃは、可動壁８４に取り付けられている。トーションばね８５が取り付けられた可動壁８４は、開放位置から閉塞位置へ向けて、つまり図５（Ｂ）に示される矢印８７の向きへ付勢されている。
【００５９】
以下、サイドガイド８０と可動壁８４との動作が説明される。図４に示される状態からサイドガイド８０が間隙７７へ向けて左方へ移動すると、サイドガイド８０の立板８２の左面が、右方から閉塞位置の可動壁８４に当接して可動壁８４を左方へ押す。これにより、可動壁８４は、トーションばね８５の付勢力に抗して、矢印８６（図５（Ａ）参照）に示される向きへ回動する。つまり、可動壁８４は、閉塞位置から開放位置へ向けて回動する。サイドガイド８０が図３に示される位置まで、つまり間隙７７の位置まで移動したとき、可動壁８４は開放位置に位置する（図５（Ｂ）参照）。このとき、可動壁８４は間隙７７を開放しているが、サイドガイド８０が可動壁８４の代わりに間隙７７を閉塞している。すなわち、可動壁８４は、サイドガイド８０が間隙７７に位置しているとき、開放位置に位置している。
【００６０】
図３に示される状態からサイドガイド８０が右方へ移動すると、サイドガイド８０が可動壁８４から離間する。これにより、可動壁８４は、トーションばね８５の付勢力によって、矢印８７（図５（Ｂ）参照）に示される向きへ回動する。つまり、可動壁８４は、開放位置から閉塞位置へ向けて回動する。サイドガイド８０が図３に示される位置よりも右方の位置（例えば図４に示される位置）へ移動したとき、可動壁８４は、閉塞位置に位置する。このとき、サイドガイド８０は間隙７７を閉塞していないが、可動壁８４がサイドガイド８０の代わりに間隙７７を閉塞している。すなわち、可動壁８４は、サイドガイド８０が間隙７７に位置していないとき、閉塞位置に位置している。
【００６１】
図４に示されるように、可動壁９４が間隙７８に配置されている。可動壁９４の構成は、可動壁８４の構成と同様である。可動壁９４は、底板７１に回動可能に取り付けられており、閉塞位置（間隙７８を閉塞する位置）と開放位置（間隙７８を開放する位置）とに回動可能である。可動壁９４は、トーションばね（不図示）によって開放位置から閉塞位置へ付勢されている。可動壁９４の構成は、可動壁８４の構成と同様であるので、ここではこれ以上の詳細な説明は省略される。
【００６２】
以下、リヤガイド９０と可動壁９４との動作が説明される。図４に示される状態からリヤガイド９０が間隙７８へ向けて前方へ移動すると、リヤガイド９０の立板９２の前面が、後方から閉塞位置の可動壁８４に当接して可動壁８４を前方へ押す。これにより、可動壁９４は、トーションばねの付勢力に抗して、閉塞位置から開放位置へ向けて回動する。リヤガイド９０が図３に示される位置まで、つまり間隙７８の位置まで移動したとき、可動壁９４は開放位置に位置する。このとき、可動壁９４は間隙７８を開放しているが、リヤガイド９０が可動壁９４の代わりに間隙７８を閉塞している。すなわち、可動壁９４は、リヤガイド９０が間隙７８に位置しているとき、開放位置に位置している。
【００６３】
図３に示される状態からリヤガイド９０が後方へ移動すると、リヤガイド９０が可動壁９４から離間する。これにより、可動壁９４は、トーションばねの付勢力によって、開放位置から閉塞位置へ向けて回動する。リヤガイド９０が図３に示される位置よりも後方の位置（例えば図４に示される位置）へ移動したとき、可動壁９４は、閉塞位置に位置する。このとき、リヤガイド９０は間隙７８を閉塞していないが、可動壁９４がリヤガイド９０の代わりに間隙７８を閉塞している。すなわち、可動壁９４は、リヤガイド９０が間隙７８に位置していないとき、閉塞位置に位置している。
【００６４】
［実施形態の効果］
サイドガイド８０は間隙７７に位置することによって左側板７３の一部を兼ね、リヤガイド９０は間隙７８に位置することによって前側板７４の一部を兼ねる。また、サイドガイド８０が間隙７７に位置しないとき、可動壁８４が閉塞位置に位置し、左側板７３の間隙７７を塞ぐ。つまり、可動壁８４が、左側板７３の一部を兼ねる。また、リヤガイド９０が間隙７８に位置しないとき、可動壁９４が閉塞位置に位置し、前側板７４の間隙７８を塞ぐ。つまり、可動壁９４が、前側板７４の一部を兼ねる。以上により、砂塵などの給送トレイ２０内部への進入を抑制することができる。
【００６５】
また、可動壁８４が回動することによって閉塞位置及び開放位置に移動するように構成することにより、サイドガイド８０及びリヤガイド９０が間隙７７、７８に位置するときに可動壁８４、９４が開放位置に位置し、サイドガイド８０及びリヤガイド９０が間隙７７、７８に位置しないときに可動壁８４、９４が閉塞位置に位置する構成を簡易に実現することができる。
【００６６】
また、可動壁８４、９４をトーションばねで閉塞位置へ付勢することによって、サイドガイド８０及びリヤガイド９０が間隙７７、７８から他の位置へ移動したときに、可動壁８４、９４を自動的に閉塞位置へ移動させることができる。
【００６７】
また、サイドガイド８０が間隙７７へ移動したときに、可動壁８４がサイドガイド８０に押されることにより、可動壁８４を自動的に開放位置へ移動させることができる。また、リヤガイド９０が間隙７８へ移動したときに、可動壁９４がリヤガイド９０に押されることにより、可動壁９４を自動的に開放位置へ移動させることができる。
【００６８】
［変形例１］
上記実施形態では、可動壁８４、９４は、回動することによって閉塞位置と開放位置とに移動したが、可動壁８４、９４は、回動以外によって閉塞位置と開放位置とに移動してもよい。
【００６９】
例えば、可動壁８４は、図６に示されるように、上下方向７へのスライドによって閉塞位置と開放位置とに移動してもよい。なお、図６では、可動壁８４の変形例が説明されるが、可動壁９４も可動壁８４と同様の構成をとり得る。
【００７０】
以下に詳述する。可動壁８４は、図６（Ａ）に示される閉塞位置と、図６（Ｂ）に示される開放位置とに上下動可能である。図６（Ａ）に示されるように、閉塞位置の可動壁８４は、底板７１の上面７６に形成された凹部５１よりも上方へ突出している。図６（Ｂ）に示されるように、開放位置の可動壁８４は、凹部５１に収容されている。可動壁８４の右面８４Ｂは、右方及び上方を向くように傾斜している。
【００７１】
可動壁８４と凹部５１の底面５１Ａとの間に、コイルばね５２（付勢部材の一例）が取り付けられている。コイルばね５２の一端は、可動壁８４の下面に取り付けられている。コイルばね５２の他端は、凹部５１の底面５１Ａに取り付けられている。可動壁８４は、コイルばね５２によって、開放位置から閉塞位置へ向けて、つまり上方へ付勢されている。
【００７２】
以下、変形例におけるサイドガイド８０と可動壁８４との動作が説明される。図６（Ａ）に示される状態からサイドガイド８０が間隙７７へ向けて左方へ移動すると、サイドガイド８０の立板８２の左面が、右方から閉塞位置の可動壁８４の右面８４Ｂに当接して可動壁８４を左方へ押す。これにより、可動壁８４は、コイルばね５２の付勢力に抗して、下方へ移動する。つまり、可動壁８４は、閉塞位置から開放位置へ向けて移動する。サイドガイド８０が図６（Ｂ）に示される位置まで、つまり間隙７７の位置まで移動したとき、可動壁８４は、凹部５２に収容されている。つまり、可動壁８４は、開放位置に位置する。このとき、可動壁８４は間隙７７を開放しているが、サイドガイド８０が可動壁８４の代わりに間隙７７を閉塞している。すなわち、可動壁８４は、サイドガイド８０が間隙７７に位置しているとき、開放位置に位置している。
【００７３】
図６（Ｂ）に示される状態からサイドガイド８０が右方へ移動すると、サイドガイド８０が可動壁８４から離間する。これにより、可動壁８４は、コイルばね５２の付勢力によって、上方へ移動する。つまり、可動壁８４は、開放位置から閉塞位置へ向けて移動する。サイドガイド８０が図６（Ｂ）に示される位置よりも右方の位置（例えば図６（Ａ）に示される位置）へ移動したとき、可動壁８４は、閉塞位置に位置する。このとき、サイドガイド８０は間隙７７を閉塞していないが、可動壁８４がサイドガイド８０の代わりに間隙７７を閉塞している。すなわち、可動壁８４は、サイドガイド８０が間隙７７に位置していないとき、閉塞位置に位置している。
【００７４】
［変形例２］
閉塞位置の可動壁８４と左側板７３との隙間や、閉塞位置の可動壁９４と前側板７４との隙間や、間隙７７に位置するサイドガイド８０と左側板７３との隙間や、間隙７８に位置するリヤガイド９０と前側板７４との隙間に、防塵部１０１（図７参照）が配置されていてもよい。防塵部１０１は、給送トレイ２０の外部から前記の隙間を通じて給送トレイ２０の内部へ砂塵などが進入するのを防ぐためのものである。防塵部１０１は、発砲ポリウレタンなどの多孔質材料である。
【００７５】
図７に示されるように、防塵部１０１は、可動壁８４の前端部及び後端部に、可動壁８４の前端よりも前方及び可動壁８４の後端よりも後方へはみ出すように取り付けられる。これにより、可動壁８４が閉塞位置に位置するとき、防塵部１０１は可動壁８４と左側板７３との隙間を埋める。
【００７６】
また、図７に示されるように、防塵部１０１は、可動壁９４の右端部及び左端部に、可動壁９４の右端よりも右方及び可動壁８４の左端よりも左方へはみ出すように取り付けられる。これにより、可動壁９４が閉塞位置に位置するとき、防塵部１０１は可動壁９４と前側板７４との隙間を埋める。
【００７７】
また、図７に示されるように、防塵部１０１は、サイドガイド８０の立板８２の前端部及び後端部にサイドガイド８０の前端よりも前方及びサイドガイド８０の後端よりも後方へはみ出すように取り付けられる。これにより、サイドガイド８０が間隙７７に位置するとき、防塵部１０１はサイドガイド８０と左側板７３との隙間を埋める。
【００７８】
また、図７に示されるように、防塵部１０１は、リヤガイド９０の立板９２の右端部及び左端部にリヤガイド９０の右端よりも右方及びリヤガイド９０の左端よりも左方へはみ出すように取り付けられる。これにより、リヤガイド９０が間隙７８に位置するとき、防塵部１０１はリヤガイド９０と前側板７４との隙間を埋める。
【００７９】
なお、防塵部１０１は、左前側板７３Ａの後端部や左後側板７３Ｂの前端部に、左側板７３と間隙に位置するサイドガイド８０との隙間、及び左側板７３と閉塞位置の可動壁８４との隙間を埋めるように取り付けられていてもよい。また、防塵部１０１は、前右側板７４Ａの左端部や前左側板７４Ｂの右端部に、前側板７４と間隙に位置するリヤガイド９０との隙間、及び前側板７４と閉塞位置の可動壁９４との隙間を埋めるように取り付けられていてもよい。
【００８０】
［その他の変形例］
上記実施形態では、可動壁８４、９４は、サイドガイド８０やリヤガイド９０に押されることによって開放位置へ移動し、付勢部材の付勢力によって閉塞位置へ移動した。しかし、可動壁８４、９４は、前記以外の手段によって移動してもよい。例えば、可動壁８４、９４は、モータから駆動力を付与されることによって閉塞位置と開放位置とに移動してもよい。
【００８１】
上記実施形態では、用紙１５は、給送ローラ２５、搬送ローラ対６３、及び排出ローラ対６６によって搬送された。つまり、用紙１５は、ローラの回転によって搬送された。しかし、用紙１５は、ローラの回転以外によって搬送されてもよい。例えば、プリンタ部１１は、給送ローラ２５、搬送ローラ対６３、及び排出ローラ対６６の代わりに搬送ベルトを備えており、用紙１５は、当該搬送ベルトによって搬送されてもよい。この場合、当該搬送ベルトが、給送部及び搬送部の一例である。
【００８２】
上記実施形態では、記録部２４は、インクジェット方式にて用紙１５に画像を記録するものであったが、インクジェット方式以外、例えば電子写真方式にて用紙１５に画像を記録するものであってもよい。
【００８３】
上記実施形態では、シート搬送装置は、複合機１０に備えられていた。しかし、シート搬送装置を備える装置は、複合機１０に限らない。例えば、シート搬送装置は、プリンタやファクシミリやスキャナなどに備えられていてもよい。
【符号の説明】
【００８４】
１０・・・複合機（画像記録装置）
１１・・・プリンタ部
７１・・・底板
７３・・・左側板７３（側板）
７６・・・上面
７７・・・間隙
８０・・・サイドガイド（シートガイド）
８４・・・可動壁
【図１】
2018090353.tif 000003
【図２】
2018090353.tif 000004
【図３】
2018090353.tif 000005
【図４】
2018090353.tif 000006
【図５】
2018090353.tif 000007
【図６】
2018090353.tif 000008
【図７】
2018090353.tif 000009